(57)【特許請求の範囲】
【請求項１】
第１無線基地局が、移動局の該第１無線基地局配下のセルから第２無線基地局配下のセルに対するハンドオーバ手順が完了した後に、該移動局のサービングＰＬＭＮが変わるか否かについて判定する工程Ａと、
前記第１無線基地局が、前記移動局のサービングＰＬＭＮが変わることを検知した場合、前記第２無線基地局に対して、該移動局において測定走行試験の実施に対する承諾がなされていないことを示す承諾状況を通知する工程Ｂとを有することを特徴とする移動通信方法。
【請求項２】
前記工程Ｂにおいて、前記移動局において測定走行試験の実施に対する承諾がなされているか否かについて示すビット情報によって、前記承諾状況を通知することを特徴とする請求項１に記載の移動通信方法。
【請求項３】
移動局の第１無線基地局配下のセルから第２無線基地局配下のセルに対するハンドオーバ手順を実施することができるように構成されている移動通信システムにおいて該第１無線基地局として動作することができる無線基地局であって、
前記ハンドオーバ手順が完了した後に、前記移動局のサービングＰＬＭＮが変わるか否かについて判定するように構成されている判定部と、
前記判定部が、前記移動局のサービングＰＬＭＮが変わることを検知した場合、前記第２無線基地局に対して、該移動局において測定走行試験の実施に対する承諾がなされていないことを示す承諾状況を通知するように構成されている送信部とを具備することを特徴とする無線基地局。
【請求項４】
前記送信部は、前記移動局において測定走行試験の実施に対する承諾がなされているか否かについて示すビット情報によって、前記承諾状況を通知するように構成されていることを特徴とする請求項３に記載の無線基地局。
【請求項５】
移動局の第１無線基地局配下のセルから第２無線基地局配下のセルに対するハンドオーバ手順が完了した後に、該移動局のサービングＰＬＭＮが変わる場合、該移動局が、移動管理ノードに対して、位置登録エリア更新要求信号を送信する工程Ａと、
前記移動管理ノードが、前記第２無線基地局に対して、位置登録エリア更新受付信号を送信するためのメッセージによって、該移動局において測定走行試験の実施に対する承諾がなされていないことを示す承諾状況を通知する工程Ｂとを有することを特徴とする移動通信方法。
【請求項６】
前記工程Ｂにおいて、前記移動局において測定走行試験の実施に対する承諾がなされているか否かについて示すビット情報によって、前記承諾状況を通知することを特徴とする請求項５に記載の移動通信方法。
【請求項７】
移動局の第１無線基地局配下のセルから第２無線基地局配下のセルに対するハンドオーバ手順が完了した後に、該移動局のサービングＰＬＭＮが変わる場合、該移動局から受信した位置登録エリア更新要求信号に応じて、該第２無線基地局に対して、位置登録エリア更新受付信号を送信するためのメッセージによって、該移動局において測定走行試験の実施に対する承諾がなされていないことを示す承諾状況を通知するように構成されていることを特徴とする移動管理ノード。
【請求項８】
前記移動局において測定走行試験の実施に対する承諾がなされているか否かについて示すビット情報によって、前記承諾状況を通知するように構成されていることを特徴とする請求項７に記載の移動管理ノード。
【請求項９】
移動局の第１無線基地局配下のセルから第２無線基地局配下のセルに対するハンドオーバ手順を行う移動通信方法であって、
前記第１無線基地局が、前記第２無線基地局に対して、該第１無線基地局において有効なＰＬＭＮのリストを通知する工程と、
前記第２無線基地局が、前記ＰＬＭＮのリストに基づいて、前記ハンドオーバ手順が完了した後に、前記移動局のサービングＰＬＭＮが変わるか否かについて判定する工程と、
前記第２無線基地局が、前記移動局のサービングＰＬＭＮが変わることを検知した場合、該移動局に対して測定走行試験を行うように指示しない工程とを有することを特徴とする移動通信方法。
【請求項１０】
移動局の第１無線基地局配下のセルから第２無線基地局配下のセルに対するハンドオーバ手順を実施することができるように構成されている移動通信システムにおいて該第２無線基地局として動作することができる無線基地局であって、
前記第１無線基地局から、該第１無線基地局において有効なＰＬＭＮのリストを取得するように構成されている受信部と、
前記ＰＬＭＮのリストに基づいて、前記ハンドオーバ手順が完了した後に、前記移動局のサービングＰＬＭＮが変わるか否かについて判定するように構成されている判定部と、
前記移動局のサービングＰＬＭＮが変わることを検知した場合、該移動局に対して測定走行試験を行うように指示しないように構成されている送信部とを具備することを特徴とする無線基地局。
【発明の詳細な説明】
【技術分野】
【０００１】
本発明は、移動通信方法、無線基地局及び移動管理ノードに関する。
【背景技術】
【０００２】
ＬＴＥ（Ｌｏｎｇ  Ｔｅｒｍ  Ｅｖｏｌｕｔｉｏｎ）方式では、「ＭＤＴ（Ｍｉｎｉｍｉｓａｔｉｏｎ  ｏｆ  Ｄｒｉｖｅ  Ｔｅｓｔｓ、測定走行試験）」が規定されている。
【０００３】
かかるＭＤＴのうち、測定対象エリア内の任意の移動局ＵＥからの測定結果を取得する「Ｍａｎａｇｅｍｅｎｔ  Ｂａｓｅｄ  ＭＤＴ」では、各移動局ＵＥにおいてＭＤＴの実施に対する承諾がなされているか否かについて示す「ＭＤＴ  Ｕｓｅｒ  Ｃｏｎｓｅｎｔ  Ｓｔａｔｕｓ（承諾状況）」に基づいて、ＭＤＴを実施させる移動局ＵＥを選択することが提案されている（非特許文献１及び２参照）。
【０００４】
具体的には、図１０に示すように、「Ｍａｎａｇｅｍｅｎｔ  Ｂａｓｅｄ  ＭＤＴ」が行われる場合には、運用保守サーバＯ＆Ｍが、測定対象エリアに含まれるセルを管理する無線基地局ｅＮＢ＃１/ｅＮＢ＃２に対して、ＭＤＴを行うように指示するように構成されている。
【０００５】
また、「Ｍａｎａｇｅｍｅｎｔ  Ｂａｓｅｄ  ＭＤＴ」が行われる場合には、移動管理ノードＭＭＥ（Ｍｏｂｉｌｉｔｙ  Ｍａｎａｇｅｍｅｎｔ  Ｅｎｔｉｔｙ）が、無線基地局ｅＮＢ＃１/ｅＮＢ＃２に対して、各移動局ＵＥに係る「ＭＤＴ  Ｕｓｅｒ  Ｃｏｎｓｅｎｔ  Ｓｔａｔｕｓ」を通知するように構成されている。
【０００６】
さらに、「Ｍａｎａｇｅｍｅｎｔ  Ｂａｓｅｄ  ＭＤＴ」が行われる場合には、無線基地局ｅＮＢ＃１/ｅＮＢ＃２が、ＭＤＴの実施に対する承諾がなされている移動局ＵＥ＃１に対して、「ＲＲＣＲｅｃｏｎｆｉｇｕｒａｔｉｏｎ」によって、ＭＤＴを行うように指示し、ＭＤＴの実施に対する承諾がなされていない移動局ＵＥ＃２に対しては、ＭＤＴを行うように指示しない。
【０００７】
また、ＬＴＥ方式では、「Ｍａｎａｇｅｍｅｎｔ  Ｂａｓｅｄ  ＭＤＴ」において、移動管理ノードＭＭＥから無線基地局ｅＮＢに対して、各移動局ＵＥに係る「ＭＤＴ  Ｕｓｅｒ  Ｃｏｎｓｅｎｔ  Ｓｔａｔｕｓ」を通知することに加えて、無線基地局ｅＮＢ間で、各移動局ＵＥに係る「Ｕｓｅｒ  Ｃｏｎｓｅｎｔ  Ｓｔａｔｕｓ」を通知することが提案されている（非特許文献１及び２参照）。
【先行技術文献】
【非特許文献】
【０００８】
【非特許文献１】３ＧＰＰ寄書  Ｒ３-１１０９３３
【非特許文献２】３ＧＰＰ寄書  Ｒ３-１１０９３４
【非特許文献３】３ＧＰＰ寄書  Ｒ３-１１１１３６
【発明の概要】
【発明が解決しようとする課題】
【０００９】
ＬＴＥ方式では、ローミング状態の移動局ＵＥ（Ｒｏａｍｉｎｇ  Ｕｓｅｒ）からは、ＭＤＴの測定結果を取得するべきではないという要求条件が規定されている（非特許文献３参照）。
【００１０】
しかしながら、既存のＬＴＥ方式の移動通信システムでは、無線基地局ｅＮＢは、各移動局ＵＥがローミング状態の移動局ＵＥであるか否かについて判定することができないため、ローミング状態の移動局ＵＥに対してＭＤＴを行うように指示しないという制御を行うことができないという問題点があった。
【００１１】
特に、既存のＬＴＥ方式の移動通信システムでは、Ｓ１ハンドオーバ又はＸ２ハンドオーバによって「Ｓｅｒｖｉｎｇ  ＰＬＭＮ（Ｐｕｂｌｉｃ  Ｌａｎｄ  Ｍｏｂｉｌｅ  Ｎｅｔｗｏｒｋ）」が変わったローミング状態の移動局ＵＥに対してＭＤＴを行うように指示しないという制御を行うことができないという問題点があった。
【００１２】
そこで、本発明は、上述の課題に鑑みてなされたものであり、ハンドオーバによってローミング状態になった移動局ＵＥに対してＭＤＴを行うように指示しないという制御を行うことができる移動通信方法、無線基地局及び移動管理ノードを提供することを目的とする。
【課題を解決するための手段】
【００１３】
本発明の第１の特徴は、移動通信方法であって、第１無線基地局が、移動局の該第１無線基地局配下のセルから第２無線基地局配下のセルに対するハンドオーバ手順が完了した後に、該移動局のサービングＰＬＭＮが変わるか否かについて判定する工程と、前記第１無線基地局が、前記移動局のサービングＰＬＭＮが変わることを検知した場合、前記第２無線基地局に対して、該移動局において測定走行試験の実施に対する承諾がなされていないことを示す承諾状況を通知する工程とを有することを要旨とする。
【００１４】
本発明の第２の特徴は、移動局の第１無線基地局配下のセルから第２無線基地局配下のセルに対するハンドオーバ手順を実施することができるように構成されている移動通信システムにおいて該第１無線基地局として動作することができる無線基地局であって、前記ハンドオーバ手順が完了した後に、前記移動局のサービングＰＬＭＮが変わるか否かについて判定するように構成されている判定部と、前記判定部が、前記移動局のサービングＰＬＭＮが変わることを検知した場合、前記第２無線基地局に対して、該移動局において測定走行試験の実施に対する承諾がなされていないことを示す承諾状況を通知するように構成されている送信部とを具備することを要旨とする。
【００１５】
本発明の第３の特徴は、移動通信方法であって、移動局の第１無線基地局配下のセルから第２無線基地局配下のセルに対するハンドオーバ手順が完了した後に、該移動局のサービングＰＬＭＮが変わる場合、該移動局が、移動管理ノードに対して、位置登録エリア更新要求信号を送信する工程と、前記移動管理ノードが、前記第２無線基地局に対して、位置登録エリア更新受付信号を送信するためのメッセージによって、該移動局において測定走行試験の実施に対する承諾がなされていないことを示す承諾状況を通知する工程とを有することを要旨とする。
【００１６】
本発明の第４の特徴は、移動管理ノードであって、移動局の第１無線基地局配下のセルから第２無線基地局配下のセルに対するハンドオーバ手順が完了した後に、該移動局のサービングＰＬＭＮが変わる場合、該移動局から受信した位置登録エリア更新要求信号に応じて、該第２無線基地局に対して、位置登録エリア更新受付信号を送信するためのメッセージによって、該移動局において測定走行試験の実施に対する承諾がなされていないことを示す承諾状況を通知するように構成されていることを要旨とする。
【００１７】
本発明の第５の特徴は、移動局の第１無線基地局配下のセルから第２無線基地局配下のセルに対するハンドオーバ手順を行う移動通信方法であって、前記第１無線基地局が、前記第２無線基地局に対して、該第１無線基地局において有効なＰＬＭＮのリストを通知する工程と、前記第２無線基地局が、前記ＰＬＭＮのリストに基づいて、前記ハンドオーバ手順が完了した後に、前記移動局のサービングＰＬＭＮが変わるか否かについて判定する工程と、前記第２無線基地局が、前記移動局のサービングＰＬＭＮが変わることを検知した場合、該移動局に対して測定走行試験を行うように指示しない工程とを有することを要旨とする。
【００１８】
本発明の第６の特徴は、移動局の第１無線基地局配下のセルから第２無線基地局配下のセルに対するハンドオーバ手順を実施することができるように構成されている移動通信システムにおいて該第２無線基地局として動作することができる無線基地局であって、前記第１無線基地局から、該第１無線基地局において有効なＰＬＭＮのリストを取得するように構成されている受信部と、前記ＰＬＭＮのリストに基づいて、前記ハンドオーバ手順が完了した後に、前記移動局のサービングＰＬＭＮが変わるか否かについて判定するように構成されている判定部と、前記移動局のサービングＰＬＭＮが変わることを検知した場合、該移動局に対して測定走行試験を行うように指示しないように構成されている送信部とを具備することを要旨とする。
【発明の効果】
【００１９】
以上説明したように、本発明によれば、ハンドオーバによってローミング状態になった移動局ＵＥに対してＭＤＴを行うように指示しないという制御を行うことができる移動通信方法、無線基地局及び移動管理ノードを提供することができる。
【図面の簡単な説明】
【００２０】
【図１】本発明の第１の実施形態に係る移動通信システムの全体構成図である。
【図２】本発明の第１の実施形態に係る無線基地局の機能ブロック図である。
【図３】本発明の第１の実施形態に係る無線基地局においてＳｅｒｖｉｎｇ-ＰＬＭＮの変更を検知する方法の一例について説明するための図である。
【図４】本発明の第１の実施形態に係る移動通信システムの動作を示すシーケンス図である。
【図５】本発明の第２の実施形態に係る移動通信システムの動作を示すシーケンス図である。
【図６】本発明の第２の実施形態に係る移動通信システムにおいて用いられる情報要素「Ｄｏｗｎｌｉｎｋ  ＮＡＳ  Ｔｒａｎｓｐｏｒｔ」及び情報要素「ＭＤＴ  Ｕｓｅｒ  Ｃｏｎｔｓｅｎｔ  Ｓｔａｔｕｓ」のフォーマット例について示す図である。
【図７】本発明の第３の実施形態に係る無線基地局の機能ブロック図である。
【図８】本発明の第３の実施形態に係る移動通信システムの動作を示すシーケンス図である。
【図９】本発明の第３の実施形態に係る移動通信システムにおいて用いられる情報要素「ＭＤＴ  Ｕｓｅｒ  Ｃｏｎｔｓｅｎｔ  Ｓｔａｔｕｓ」及び情報要素「Ｃｏｎｓｅｎｔ  Ｓｔａｔｕｓ  ＰＬＭＮ  Ｌｉｓｔ」のフォーマット例について示す図である。
【図１０】従来の移動通信システムの動作を説明するための図である。
【発明を実施するための形態】
【００２１】
（本発明の第１の実施形態に係る移動通信システム）
図１乃至図４を参照して、本発明の第１の実施形態に係る移動通信システムについて説明する。
【００２２】
図１に示すように、本実施形態に係る移動通信システムは、ＬＴＥ方式の移動通信システムであって、無線基地局ｅＮＢ＃１/ｅＮＢ＃２と、移動管理ノードＭＭＥと、加入者管理サーバＨＳＳ（Ｈｏｍｅ  Ｓｕｂｓｃｒｉｂｅｒ  Ｓｅｒｖｅｒ）と、運用保守サーバＯ＆Ｍとを具備している。
【００２３】
本実施形態に係る移動通信システムは、「Ｍａｎａｇｅｍｅｎｔ  Ｂａｓｅｄ  ＭＤＴ」を実施することができるように構成されている。
【００２４】
また、本実施形態に係る移動通信システムでは、図１に示すように、移動局ＵＥが、無線基地局ｅＮＢ＃１配下のセル＃１から無線基地局ｅＮＢ＃２配下のセル＃２にハンドオーバするケースを例に挙げて説明する。
【００２５】
図２に示すように、ハンドオーバ元無線基地局として機能する無線基地局ｅＮＢ＃１は、管理部１１と、受信部１２と、判定部１３と、送信部１４とを具備している。
【００２６】
管理部１１は、無線基地局ｅＮＢ＃１配下のセル＃１と通信中の移動局ＵＥにおいてＭＤＴの実施に対する承諾がなされているか否かについて示す「ＭＤＴ  Ｕｓｅｒ  Ｃｏｎｔｓｅｎｔ  Ｓｔａｔｕｓ」を管理するように構成されている。
【００２７】
また、管理部１１は、セル＃１で報知している「ＰＬＭＮ  Ｌｉｓｔ」、すなわち、セル＃１（或いは、無線基地局ｅＮＢ＃１）でサポートしているＰＬＭＮを管理するように構成されている。
【００２８】
さらに、管理部１１は、無線基地局ｅＮＢ＃１配下のセル＃１と通信中の移動局ＵＥにおいて管理されている「ＨＯ  Ｒｅｓｔｒｉｃｔｉｏｎ  Ｌｉｓｔ」を管理するように構成されていてもよい。
【００２９】
受信部１２は、周辺セル（例えば、セル＃２）における報知情報を受信するように構成されている。
【００３０】
具体的には、受信部１２は、周辺セル（例えば、セル＃２）における報知情報に含まれる「ＰＬＭＮ  Ｌｉｓｔ」を取得するように構成されていてもよい。
【００３１】
また、受信部１２は、無線基地局ｅＮＢ＃１が隣接する無線基地局ｅＮＢとの間でＸ２インターフェイスを確立する際等において、「Ｘ２  Ｓｅｔｕｐメッセージ」や「ｅＮＢ  Ｃｏｎｆｉｇｕｒａｔｉｏｎ  Ｕｐｄａｔｅメッセージ」等を用いて、かかる「ＰＬＭＮ  Ｌｉｓｔ」を取得するように構成されていてもよい。
【００３２】
判定部１３は、移動局ＵＥのセル＃１からセル＃２に対するハンドオーバ手順が完了した後に、移動局ＵＥの「Ｓｅｒｖｉｎｇ  ＰＬＭＮ（サービングＰＬＭＮ）」が変わるか否かについて、すなわち、セル＃２において現在の移動局ＵＥの「Ｓｅｒｖｉｎｇ  ＰＬＭＮ」がサービスを提供しているか否かについて判定するように構成されている。
【００３３】
例えば、図３に示すように、判定部１３は、セル＃２において報知されている「ＰＬＭＮ  Ｌｉｓｔ」とセル＃１における移動局ＵＥの「Ｓｅｒｖｉｎｇ  ＰＬＭＮ」とを比較することによって、移動局ＵＥの「Ｓｅｒｖｉｎｇ  ＰＬＭＮ」が変わるか否かについて判定するように構成されている。
【００３４】
ここで、図３（ａ）に示すように、判定部１３は、セル＃２において報知されている「ＰＬＭＮ  Ｌｉｓｔ（ＰＬＭＮ＃１〜＃３）」内に、セル＃１における移動局ＵＥの「Ｓｅｒｖｉｎｇ  ＰＬＭＮ（ＰＬＭＮ＃１）」が含まれている場合、移動局ＵＥの「Ｓｅｒｖｉｎｇ  ＰＬＭＮ」が変わらないと判定するように構成されている。
【００３５】
なお、判定部１３は、図３（ａ）に示すように、セル＃１における移動局ＵＥの「Ｓｅｒｖｉｎｇ  ＰＬＭＮ（ＰＬＭＮ＃１）」が、セル＃２において報知されている「ＰＬＭＮ  Ｌｉｓｔ」内に、「Ｐｒｉｍａｒｙ  ＰＬＭＮ」として含まれていなくても、移動局ＵＥの「Ｓｅｒｖｉｎｇ  ＰＬＭＮ」が変わらないと判定するように構成されていてもよい。
【００３６】
一方、図３（ｂ）に示すように、判定部１３は、セル＃２において報知されている「ＰＬＭＮ  Ｌｉｓｔ（ＰＬＭＮ＃１〜＃３）」内に、セル＃１における移動局ＵＥの「Ｓｅｒｖｉｎｇ  ＰＬＭＮ（ＰＬＭＮ＃１）」が含まれていない場合、移動局ＵＥの「Ｓｅｒｖｉｎｇ  ＰＬＭＮ」が変わると判定するように構成されている。
【００３７】
なお、かかる場合、図３（ｂ）に示すように、判定部１３は、セル＃２において報知されている「ＰＬＭＮ  Ｌｉｓｔ（ＰＬＭＮ＃１〜＃３）」のうち、移動局ＵＥの「ＨＯ  Ｒｅｓｔｒｉｃｔｉｏｎ  Ｌｉｓｔ」内に「Ｅｑｕｉｖａｌｅｎｔ  ＰＬＭＮ」として含まれている「ＰＬＭＮ（ＰＬＭＮ＃２）」を、セル＃２における移動局ＵＥの「Ｓｅｒｖｉｎｇ  ＰＬＭＮ（ＰＬＭＮ＃２）」と判定するように構成されていてもよい。
【００３８】
送信部１４は、判定部１３によって移動局ＵＥの「Ｓｅｒｖｉｎｇ  ＰＬＭＮ」が変わることが検知された場合、無線基地局ｅＮＢ＃２に対して、移動局ＵＥにおいてＭＤＴの実施に対する承諾がなされていないことを示す「ＭＤＴ  Ｕｓｅｒ  Ｃｏｎｓｅｎｔ  Ｓｔａｔｕｓ」を通知するように構成されている。
【００３９】
例えば、送信部１４は、移動局ＵＥにおいてＭＤＴの実施に対する承諾がなされているか否かについて示すビット情報によって、上述の承諾状況を通知するように構成されていてもよい。
【００４０】
以下、図４を参照して、本発明の第１の実施形態に係る移動通信システムの動作の一例について説明する。
【００４１】
図４に示すように、ステップＳ１００１において、移動局ＵＥが、無線基地局ｅＮＢ＃１配下のセル＃１においてＣｏｎｎｅｃｔｅｄ状態である場合に、ステップＳ１００２において、無線基地局ｅＮＢ＃１は、移動局ＵＥのセル＃１からセル＃２に対するハンドオーバ手順を開始することを決定する。
【００４２】
ステップＳ１００３において、無線基地局ｅＮＢ＃１は、移動局ＵＥのセル＃１からセル＃２に対するハンドオーバ手順が完了した後に、移動局ＵＥの「Ｓｅｒｖｉｎｇ  ＰＬＭＮ」が変わるか否かについて判定する。
【００４３】
ここで、無線基地局ｅＮＢ＃１は、移動局ＵＥの「Ｓｅｒｖｉｎｇ  ＰＬＭＮ」が変わると判定した場合、ステップＳ１００４において、無線基地局ｅＮＢ＃２に対して、移動局ＵＥにおいてＭＤＴの実施に対する承諾がなされていないことを示す「ＭＤＴ  Ｕｓｅｒ  Ｃｏｎｓｅｎｔ  Ｓｔａｔｕｓ」を通知する。
【００４４】
かかる場合、無線基地局ｅＮＢ＃１は、「ＨＯ  Ｒｅｑｕｅｓｔ」や「ＨＯ  Ｒｅｑｕｉｒｅｄ」等によって、無線基地局ｅＮＢ＃２に対して、かかる「ＭＤＴ  Ｕｓｅｒ  Ｃｏｎｓｅｎｔ  Ｓｔａｔｕｓ」を通知してもよい。
【００４５】
一方、無線基地局ｅＮＢ＃１は、移動局ＵＥの「Ｓｅｒｖｉｎｇ  ＰＬＭＮ」が変わらないと判定した場合、ステップＳ１００４において、無線基地局ｅＮＢ＃２に対して、自身が管理している移動局ＵＥに係る「ＭＤＴ  Ｕｓｅｒ  Ｃｏｎｓｅｎｔ  Ｓｔａｔｕｓ」を通知する。
【００４６】
かかる場合、無線基地局ｅＮＢ＃１は、「ＨＯ  Ｒｅｑｕｅｓｔ」や「ＨＯ  Ｒｅｑｕｉｒｅｄ」等によって、無線基地局ｅＮＢ＃２に対して、かかる「ＭＤＴ  Ｕｓｅｒ  Ｃｏｎｓｅｎｔ  Ｓｔａｔｕｓ」を通知してもよい。
【００４７】
その結果、ハンドオーバ手順が完了後に、無線基地局ｅＮＢ＃２は、かかる移動局ＵＥに対して、ＭＤＴを行うように指示しない。
【００４８】
本発明の第１の実施形態に係る移動通信システムによれば、ハンドオーバ元無線基地局である無線基地局ｅＮＢ＃１が、移動局ＵＥのセル＃１からセル＃２に対するハンドオーバ手順が完了した後に、移動局ＵＥの「Ｓｅｒｖｉｎｇ  ＰＬＭＮ」が変わると判定した場合に、無線基地局ｅＮＢ＃２に対して、自身が管理している移動局ＵＥに係る「ＭＤＴ  Ｕｓｅｒ  Ｃｏｎｓｅｎｔ  Ｓｔａｔｕｓ」に関わらず、移動局ＵＥにおいてＭＤＴの実施に対する承諾がなされていないことを示す「ＭＤＴ  Ｕｓｅｒ  Ｃｏｎｓｅｎｔ  Ｓｔａｔｕｓ」を通知するように構成されているため、Ｓ１ハンドオーバ又はＸ２ハンドオーバによって「Ｓｅｒｖｉｎｇ  ＰＬＭＮ」が変わったローミング状態の移動局ＵＥに対してＭＤＴを行うように指示してしまうという事態を回避することができる。
【００４９】
（本発明の第２の実施形態に係る移動通信システム）
図５及び図６を参照して、本発明の第２の実施形態に係る移動通信システムについて説明する。以下、本発明の第２の実施形態に係る移動通信システムについて、上述の第１の実施形態に係る移動通信システムとの相違点に着目して説明する。
【００５０】
図５及び図６を参照して、本発明の第２の実施形態に係る移動通信システムの動作について説明する。
【００５１】
図５に示すように、ステップＳ２００１において、移動局ＵＥが、無線基地局ｅＮＢ＃１配下のセル＃１においてＣｏｎｎｅｃｔｅｄ状態である場合に、ステップＳ２００２において、移動局ＵＥのセル＃１からセル＃２に対するハンドオーバ手順を実施する。
【００５２】
かかるハンドオーバ手順が完了した後に、移動局ＵＥの「Ｓｅｒｖｉｎｇ  ＰＬＭＮ」が変わる場合、ステップＳ２００３/Ｓ２００４において、移動局ＵＥは、無線基地局ｅＮＢ＃２を介して、移動管理ノードＭＭＥに対して、「ＴＡＵ（Ｔｒａｃｋｉｎｇ  Ａｒｅａ  Ｕｐｄａｔｅ）」を送信する。
【００５３】
ステップＳ２００５において、移動管理ノードＭＭＥは、移動局ＵＥの「Ｓｅｒｖｉｎｇ  ＰＬＭＮ」が変わるか否かについて判定し、かかる判定結果に基づいて、無線基地局ｅＮＢ＃２に対して、「ＴＡＵ  Ａｃｃｅｐｔ」を含む「Ｄｏｗｎｌｉｎｋ  ＮＡＳ  Ｔｒａｎｓｐｏｒｔメッセージ」を送信する。
【００５４】
ここで、移動管理ノードＭＭＥは、図６（ａ）に示すように、かかる「Ｄｏｗｎｌｉｎｋ  ＮＡＳ  Ｔｒａｎｓｐｏｒｔメッセージ」内に情報要素「ＭＤＴ  Ｕｓｅｒ  Ｃｏｎｓｅｎｔ  Ｓｔａｔｕｓ」を設定する。
【００５５】
なお、かかる情報要素「ＭＤＴ  Ｕｓｅｒ  Ｃｏｎｓｅｎｔ  Ｓｔａｔｕｓ」には、移動局ＵＥにおいてＭＤＴの実施に対する承諾がなされているか否かについて示す「ＭＤＴ  Ｕｓｅｒ  Ｃｏｎｓｅｎｔ  Ｓｔａｔｕｓ（ｃｏｎｓｅｎｔ/ｎｏｎ-ｃｏｎｓｅｎｔ）」を設定することができる。
【００５６】
移動管理ノードＭＭＥは、移動局ＵＥの「Ｓｅｒｖｉｎｇ  ＰＬＭＮ」が変わると判定した場合には、移動局ＵＥにおいてＭＤＴの実施に対する承諾がなされていないことを示す「ＭＤＴ  Ｕｓｅｒ  Ｃｏｎｓｅｎｔ  Ｓｔａｔｕｓ（ｎｏｎ-ｃｏｎｓｅｎｔ）」を、情報要素「ＭＤＴ  Ｕｓｅｒ  Ｃｏｎｓｅｎｔ  Ｓｔａｔｕｓ」に設定する。
【００５７】
一方、移動管理ノードＭＭＥは、移動局ＵＥの「Ｓｅｒｖｉｎｇ  ＰＬＭＮ」が変わらないと判定した場合には、移動管理ノードＭＭＥが管理している移動局ＵＥの「ＭＤＴ  Ｕｓｅｒ  Ｃｏｎｓｅｎｔ  Ｓｔａｔｕｓ（ｃｏｎｓｅｎｔ/ｎｏｎ-ｃｏｎｓｅｎｔ）」を、情報要素「ＭＤＴ  Ｕｓｅｒ  Ｃｏｎｓｅｎｔ  Ｓｔａｔｕｓ」に設定する。
【００５８】
ステップＳ２００６において、無線基地局ｅＮＢ＃２は、移動局ＵＥに対して、「ＴＡＵ  Ａｃｃｅｐｔ」を含むＲＲＣ（Ｒａｄｉｏ  Ｒｅｓｏｕｒｃｅ  Ｃｏｎｔｒｏｌ）メッセージを送信する。
【００５９】
その結果、ＴＡＵ手順が完了後に、無線基地局ｅＮＢ＃２は、かかる移動局ＵＥに対して、ＭＤＴを行うように指示しない。
【００６０】
本発明の第２の実施形態に係る移動通信システムによれば、移動管理ノードＭＭＥが、移動局ＵＥのセル＃１からセル＃２に対するハンドオーバ手順が完了した後に、移動局ＵＥのＴＡＵ手順において、移動局ＵＥの「Ｓｅｒｖｉｎｇ  ＰＬＭＮ」が変わると判定した場合に、無線基地局ｅＮＢ＃２に対して、自身が管理している移動局ＵＥに係る「ＭＤＴ  Ｕｓｅｒ  Ｃｏｎｓｅｎｔ  Ｓｔａｔｕｓ」に関わらず、移動局ＵＥにおいてＭＤＴの実施に対する承諾がなされていないことを示す「ＭＤＴ  Ｕｓｅｒ  Ｃｏｎｓｅｎｔ  Ｓｔａｔｕｓ」を通知するように構成されているため、Ｓ１ハンドオーバ又はＸ２ハンドオーバによって「Ｓｅｒｖｉｎｇ  ＰＬＭＮ」が変わったローミング状態の移動局ＵＥに対してＭＤＴを行うように指示してしまうという事態を回避することができる。
【００６１】
（本発明の第３の実施形態に係る移動通信システム）
図７乃至図９を参照して、本発明の第３の実施形態に係る移動通信システムについて説明する。以下、本発明の第３の実施形態に係る移動通信システムについて、上述の第１の実施形態に係る移動通信システムとの相違点に着目して説明する。
【００６２】
図７に示すように、ハンドオーバ先無線基地局として機能する無線基地局ｅＮＢ＃２は、管理部２１と、受信部２２と、判定部２３と、送信部２４とを具備している。
【００６３】
管理部２１は、セル＃２（或いは、無線基地局ｅＮＢ＃２）でサポートしているＰＬＭＮ、すなわち、セル＃２（或いは、無線基地局ｅＮＢ＃２）において有効なＰＬＭＮを管理するように構成されている。
【００６４】
受信部２２は、セル＃１から、セル＃１（或いは、無線基地局ｅＮＢ＃１）においてサポートしているＰＬＭＮ、すなわち、セル＃１（或いは、無線基地局ｅＮＢ＃１）において有効なＰＬＭＮ（セル＃１における移動局ＵＥの「Ｓｅｒｖｉｎｇ  ＰＬＭＮ」に係る情報を含む）を取得するように構成されている。
【００６５】
また、受信部２２は、セル＃１から、移動局ＵＥにおいてＭＤＴの実施に対する承諾がなされているか否かについて示す「ＭＤＴ  Ｕｓｅｒ  Ｃｏｎｓｅｎｔ  Ｓｔａｔｕｓ」を取得するように構成されている。
【００６６】
判定部２３は、移動局ＵＥのセル＃１からセル＃２に対するハンドオーバ手順が完了した後に、移動局ＵＥの「Ｓｅｒｖｉｎｇ  ＰＬＭＮ」が変わるか否かについて判定するように構成されている。
【００６７】
例えば、判定部２３は、セル＃２において報知されている「ＰＬＭＮ  Ｌｉｓｔ」とセル＃１における移動局ＵＥの「Ｓｅｒｖｉｎｇ  ＰＬＭＮ」とを比較することによって、移動局ＵＥの「Ｓｅｒｖｉｎｇ  ＰＬＭＮ」が変わるか否かについて判定するように構成されている。
【００６８】
ここで、判定部２３は、セル＃２（或いは、無線基地局ｅＮＢ＃２）においてサポートされている「ＰＬＭＮ  Ｌｉｓｔ（ＰＬＭＮ＃１〜＃３）」内に、セル＃１における移動局ＵＥの「Ｓｅｒｖｉｎｇ  ＰＬＭＮ（ＰＬＭＮ＃１）」が含まれている場合、移動局ＵＥの「Ｓｅｒｖｉｎｇ  ＰＬＭＮ」が変わらないと判定するように構成されている。
【００６９】
一方、判定部２３は、セル＃２（或いは、無線基地局ｅＮＢ＃２）においてサポートされている「ＰＬＭＮ  Ｌｉｓｔ（ＰＬＭＮ＃１〜＃３）」内に、セル＃１における移動局ＵＥの「Ｓｅｒｖｉｎｇ  ＰＬＭＮ（ＰＬＭＮ＃１）」が含まれていない場合、移動局ＵＥの「Ｓｅｒｖｉｎｇ  ＰＬＭＮ」が変わると判定するように構成されている。
【００７０】
送信部２４は、判定部２３によって移動局ＵＥの「Ｓｅｒｖｉｎｇ  ＰＬＭＮ」が変わらないことが検知された場合で、かつ、受信部２２によって移動局ＵＥにおいてＭＤＴの実施に対する承諾がなされていることを示す「ＭＤＴ  Ｕｓｅｒ  Ｃｏｎｓｅｎｔ  Ｓｔａｔｕｓ」が受信された場合に、移動局ＵＥに対して、ＭＤＴを行うように指示するように構成されている。
【００７１】
一方、送信部２４は、判定部２３によって移動局ＵＥの「Ｓｅｒｖｉｎｇ  ＰＬＭＮ」が変わることが検知された場合、或いは、受信部２２によって移動局ＵＥにおいてＭＤＴの実施に対する承諾がなされていないことを示す「ＭＤＴ  Ｕｓｅｒ  Ｃｏｎｓｅｎｔ  Ｓｔａｔｕｓ」が受信された場合に、移動局ＵＥに対して、ＭＤＴを行うように指示しないように構成されている。
【００７２】
図８及び図９を参照して、本発明の第３の実施形態に係る移動通信システムの動作について説明する。
【００７３】
図８に示すように、ステップＳ３００１において、移動局ＵＥが、無線基地局ｅＮＢ＃１配下のセル＃１においてＣｏｎｎｅｃｔｅｄ状態である場合に、ステップＳ３００２において、無線基地局ｅＮＢ＃１は、移動局ＵＥのセル＃１からセル＃２に対するハンドオーバ手順を開始することを決定する。
【００７４】
ステップＳ３００３において、無線基地局ｅＮＢ＃１は、無線基地局ｅＮＢ＃２に対して、セル＃１（或いは、無線基地局ｅＮＢ＃１）においてサポートされている「ＰＬＭＮ  Ｌｉｓｔ」及び移動局ＵＥの「ＭＤＴ  Ｕｓｅｒ  Ｃｏｎｓｅｎｔ  Ｓｔａｔｕｓ」を通知する。
【００７５】
ここで、無線基地局ｅＮＢ＃１は、図９（ａ）に示すように、情報要素「ＭＤＴ  Ｕｓｅｒ  Ｃｏｎｓｅｎｔ  Ｓｔａｔｕｓ」によって、上述の移動局ＵＥの「ＭＤＴ  Ｕｓｅｒ  Ｃｏｎｓｅｎｔ  Ｓｔａｔｕｓ」を通知し、図９（ａ）及び図９（ｂ）に示すように、情報要素「ＭＤＴ  Ｕｓｅｒ  Ｃｏｎｓｅｎｔ  Ｓｔａｔｕｓ」内の情報要素「Ｃｏｎｓｅｎｔ  Ｓｔａｔｕｓ  ＰＬＭＮ  ＬＩｓｔ」によって、上述の「ＰＬＭＮ  Ｌｉｓｔ」を通知する。
【００７６】
ステップＳ３００４において、無線基地局ｅＮＢ＃２は、無線基地局ｅＮｂ＃１から受信した「ＰＬＭＮ  Ｌｉｓｔ」に基づいて、移動局ＵＥのセル＃１からセル＃２に対するハンドオーバ手順が完了した後に、移動局ＵＥの「Ｓｅｒｖｉｎｇ  ＰＬＭＮ」が変わるか否かについて判定する。
【００７７】
そして、無線基地局ｅＮＢ＃２は、移動局ＵＥの「Ｓｅｒｖｉｎｇ  ＰＬＭＮ」が変わらないことを検出した場合で、かつ、移動局ＵＥにおいてＭＤＴの実施に対する承諾がなされていることを示す「ＭＤＴ  Ｕｓｅｒ  Ｃｏｎｓｅｎｔ  Ｓｔａｔｕｓ」が受信された場合に、移動局ＵＥに対して、ＭＤＴを行うように指示する。
【００７８】
一方、無線基地局ｅＮＢ＃２は、移動局ＵＥの「Ｓｅｒｖｉｎｇ  ＰＬＭＮ」が変わることが検知された場合、或いは、移動局ＵＥにおいてＭＤＴの実施に対する承諾がなされていないことを示す「ＭＤＴ  Ｕｓｅｒ  Ｃｏｎｓｅｎｔ  Ｓｔａｔｕｓ」が受信された場合に、移動局ＵＥに対して、ＭＤＴを行うように指示しない。
【００７９】
本発明の第３の実施形態に係る移動通信システムによれば、ハンドオーバ先無線基地局である無線基地局ｅＮＢ＃２が、移動局ＵＥのセル＃１からセル＃２に対するハンドオーバ手順が完了した後に、移動局ＵＥの「Ｓｅｒｖｉｎｇ  ＰＬＭＮ」が変わると判定した場合に、無線基地局ｅＮＢ＃１から受信した移動局ＵＥに係る「ＭＤＴ  Ｕｓｅｒ  Ｃｏｎｓｅｎｔ  Ｓｔａｔｕｓ」に関わらず、移動局ＵＥに対して、ＭＤＴを行うように指示しないように構成されているため、Ｓ１ハンドオーバ又はＸ２ハンドオーバによって「Ｓｅｒｖｉｎｇ  ＰＬＭＮ」が変わったローミング状態の移動局ＵＥに対してＭＤＴを行うように指示してしまうという事態を回避することができる。
【００８０】
以上に述べた本実施形態の特徴は、以下のように表現されていてもよい。
【００８１】
本実施形態の第１の特徴は、無線基地局ｅＮＢ＃１（第１無線基地局）が、移動局ＵＥの無線基地局ｅＮＢ＃１配下のセル＃１から無線基地局ｅＮＢ＃２（第２無線基地局）配下のセル＃２に対するハンドオーバ手順が完了した後に、移動局ＵＥの「Ｓｅｒｖｉｎｇ  ＰＬＭＮ（サービングＰＬＭＮ）」が変わるか否かについて判定する工程Ａと、無線基地局ｅＮＢ＃１が、移動局ＵＥの「Ｓｅｒｖｉｎｇ  ＰＬＭＮ」が変わることを検知した場合、無線基地局ｅＮＢ＃２に対して、移動局ＵＥにおいてＭＤＴ（測定走行試験）の実施に対する承諾がなされていないことを示す「ＭＤＴ  Ｕｓｅｒ  Ｃｏｎｓｅｎｔ  Ｓｔａｔｕｓ（承諾状況）」を通知する工程Ｂとを有することを要旨とする。
【００８２】
本実施形態の第１の特徴において、工程Ｂにおいて、移動局ＵＥにおいてＭＤＴの実施に対する承諾がなされているか否かについて示すビット情報によって、上述の承諾状況を通知するように構成されていてもよい。
【００８３】
本実施形態の第２の特徴は、移動局ＵＥの無線基地局ｅＮＢ＃１配下のセル＃１から無線基地局ｅＮＢ＃２配下のセル＃２に対するハンドオーバ手順を実施することができるように構成されている移動通信システムにおける無線基地局ｅＮＢ＃１であって、ハンドオーバ手順が完了した後に、移動局ＵＥの「Ｓｅｒｖｉｎｇ  ＰＬＭＮ」が変わるか否かについて判定するように構成されている判定部１３と、判定部１３が、移動局ＵＥの「Ｓｅｒｖｉｎｇ  ＰＬＭＮ」が変わることを検知した場合、無線基地局ｅＮＢ＃２に対して、移動局ＵＥにおいてＭＤＴの実施に対する承諾がなされていないことを示す「ＭＤＴ  Ｕｓｅｒ  Ｃｏｎｓｅｎｔ  Ｓｔａｔｕｓ」を通知するように構成されている送信部１４とを具備することを要旨とする。
【００８４】
本実施形態の第２の特徴において、送信部１４は、移動局ＵＥにおいてＭＤＴの実施に対する承諾がなされているか否かについて示すビット情報によって、上述の承諾状況を通知してもよい。
【００８５】
本実施形態の第３の特徴は、移動局ＵＥの無線基地局ｅＮＢ＃１配下のセル＃１から無線基地局ｅＮＢ＃２配下のセル＃２に対するハンドオーバ手順が完了した後に、移動局ＵＥの「Ｓｅｒｖｉｎｇ  ＰＬＭＮ」が変わる場合、移動局ＵＥが、移動管理ノードＭＭＥに対して、「Ｔｒａｃｋｉｎｇ  Ａｒｅａ  Ｕｐｄａｔｅ  Ｒｅｑｕｅｓｔ（位置登録エリア更新要求信号）」を送信する工程Ａと、移動管理ノードＭＭＥが、無線基地局ｅＮＢ＃２に対して、「Ｔｒａｃｋｉｎｇ  Ａｒｅａ  Ｕｐｄａｔｅ  Ａｃｃｅｐｔ（位置登録エリア更新受付信号）」を送信するための「Ｄｏｗｎｌｉｎｋ  ＮＡＳ  Ｔｒａｎｓｐｏｒｔメッセージ」によって、移動局ＵＥにおいてＭＤＴの実施に対する承諾がなされていないことを示す「ＭＤＴ  Ｕｓｅｒ  Ｃｏｎｓｅｎｔ  Ｓｔａｔｕｓ」を通知する工程Ｂとを有することを要旨とする。
【００８６】
本実施形態の第３の特徴において、工程Ｂにおいて、移動局ＵＥにおいてＭＤＴの実施に対する承諾がなされているか否かについて示すビット情報によって、上述の承諾状況を通知するように構成されていてもよい。
【００８７】
本実施形態の第４の特徴は、移動管理ノードＭＭＥであって、移動局ＵＥの無線基地局ｅＮＢ＃１配下のセル＃１から無線基地局ｅＮＢ＃２配下のセル＃２に対するハンドオーバ手順が完了した後に、移動局ＵＥの「Ｓｅｒｖｉｎｇ  ＰＬＭＮ」が変わる場合、移動局ＵＥから受信した「Ｔｒａｃｋｉｎｇ  Ａｒｅａ  Ｕｐｄａｔｅ  Ｒｅｑｕｅｓｔ」に応じて、無線基地局ｅＮｂ＃２に対して、「Ｔｒａｃｋｉｎｇ  Ａｒｅａ  Ｕｐｄａｔｅ  Ａｃｃｅｐｔ」を送信するための「Ｄｏｗｎｌｉｎｋ  ＮＡＳ  Ｔｒａｎｓｐｏｒｔメッセージ」によって、移動局ＵＥにおいてＭＤＴの実施に対する承諾がなされていないことを示す「ＭＤＴ  Ｕｓｅｒ  Ｃｏｎｓｅｎｔ  Ｓｔａｔｕｓ」を通知するように構成されていることを要旨とする。
【００８８】
本実施形態の第４の特徴において、移動局ＵＥにおいてＭＤＴの実施に対する承諾がなされているか否かについて示すビット情報によって、上述の承諾状況を通知してもよい。
【００８９】
本実施形態の第５の特徴は、移動局ＵＥの無線基地局ｅＮＢ＃１配下のセル＃１から無線基地局ｅＮＢ＃２配下のセル＃２に対するハンドオーバ手順を行う移動通信方法であって、無線基地局ｅＮＢ＃１が、無線基地局ｅＮＢ＃２に対して、無線基地局ｅＮＢ＃１において有効な「Ｃｏｎｓｅｎｔ  Ｓｔａｔｕｓ  ＰＬＭＮ  Ｌｉｓｔ（ＰＬＭＮのリスト）」を通知する工程と、無線基地局ｅＮｂ＃２が、「Ｃｏｎｓｅｎｔ  Ｓｔａｔｕｓ  ＰＬＭＮ  Ｌｉｓｔ」に基づいて、ハンドオーバ手順が完了した後に、移動局ＵＥの「Ｓｅｒｖｉｎｇ  ＰＬＭＮ」が変わるか否かについて判定する工程と、無線基地局ｅＮｂ＃２が、移動局ＵＥの「Ｓｅｒｖｉｎｇ  ＰＬＭＮ」が変わることを検知した場合、移動局ＵＥに対してＭＤＴを行うように指示しない工程とを有することを要旨とする。
【００９０】
本実施形態の第６の特徴は、移動局ＵＥの無線基地局ｅＮＢ＃１配下のセル＃１から無線基地局ｅＮＢ＃２配下のセル＃２に対するハンドオーバ手順を実施することができるように構成されている移動通信システムにおける無線基地局ｅＮｂ＃２であって、無線基地局ｅＮＢ＃１から、無線基地局ｅＮＢ＃１において有  効な「Ｃｏｎｓｅｎｔ  Ｓｔａｔｕｓ  ＰＬＭＮ  Ｌｉｓｔ」を取得するように構成されている受信部２２と、「Ｃｏｎｓｅｎｔ  Ｓｔａｔｕｓ  ＰＬＭＮ  Ｌｉｓｔ」に基づいて、ハンドオーバ手順が完了した後に、移動局ＵＥの「Ｓｅｒｖｉｎｇ  ＰＬＭＮ」が変わるか否かについて判定するように構成されている判定部２３と、移動局ＵＥの「Ｓｅｒｖｉｎｇ  ＰＬＭＮ」が変わることを検知した場合、移動局ＵＥに対してＭＤＴを行うように指示しないように構成されている送信部２４とを具備することを要旨とする。
【００９１】
なお、上述の移動管理ノードＭＭＥや無線基地局ｅＮＢ＃１/ｅＮＢ＃２や移動局ＵＥの動作は、ハードウェアによって実施されてもよいし、プロセッサによって実行されるソフトウェアモジュールによって実施されてもよいし、両者の組み合わせによって実施されてもよい。
【００９２】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【００９３】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、移動管理ノードＭＭＥや無線基地局ｅＮＢ＃１/ｅＮＢ＃２や移動局ＵＥ内に設けられていてもよい。また、かかる記憶媒体及びプロセッサは、ディスクリートコンポーネントとして移動管理ノードＭＭＥや無線基地局ｅＮＢ＃１/ｅＮＢ＃２や移動局ＵＥ内に設けられていてもよい。
【００９４】
また、本明細書中では、無線アクセス方式としてＥ-ＵＴＲＡＮ（ＬＴＥ）方式が用いられるケースを例に挙げて説明したが、本発明は、同様に、無線アクセス方式としてＵＴＲＡＮ方式やＧＥＲＡＮ方式が用いられるケースにも適用可能である。
【００９５】
かかる場合、移動管理ノードＭＭＥを、ＵＴＲＡＮ方式やＧＥＲＡＮ方式における移動管理ノードであるパケット交換機ＳＧＳＮに置き換え、無線基地局ｅＮＢを、ＵＴＲＡＮ方式やＧＥＲＡＮ方式における無線制御装置ＲＮＣ/ＢＳＣに置き換える。
【００９６】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【００９７】
ＵＥ…移動局
ｅＮＢ＃１、ｅＮＢ＃２…無線基地局
１１、２１…管理部
１２、２２…受信部
１３、２３…判定部
１４、２４…送信部
【図１】
0005443431.tif 000002
【図２】
0005443431.tif 000003
【図３】
0005443431.tif 000004
【図４】
0005443431.tif 000005
【図５】
0005443431.tif 000006
【図６】
0005443431.tif 000007
【図７】
0005443431.tif 000008
【図８】
0005443431.tif 000009
【図９】
0005443431.tif 000010
【図１０】
0005443431.tif 000011